(57)【要約】【課題】原稿ガイドおよびその関連部材の操作性に優れているとともに、原稿ガイドおよびその関連部材が大型化するおそれのない原稿搬送装置を提供する。【解決手段】原稿搬送装置Ｄは原稿ガイド５１および第２原稿ガイド５２を備えてなる。第２原稿ガイド５２は、名刺サイズの原稿４２をガイドするためのものであって、原稿ガイド５１の内側に装着／離脱可能に設けられている。第２原稿ガイド５２は、一対の側壁５２ａ，５２ｂおよびこれらの側壁５２ａ，５２ｂの下部に連なる１つの底壁５２ｃを有している。底壁５２ｃの下面には、原稿幅方向に所定間隔を置いて設けられた一対の立方体状位置決め用突起５６ａ，５６ｂが下方突出状に一体形成されている。第２原稿ガイド５２を装着するとき、位置決め用突起５６ａ，５６ｂは、原稿ガイド５１のスライド溝５５ａ，５５ｂに嵌まり込んで第２原稿ガイド５２を位置決めする。【選択図】図１
2010052871.tif 000002
【特許請求の範囲】
【請求項１】
原稿トレイに載置されたシート状原稿を原稿読取部の原稿読取領域へ搬送する原稿搬送部と、
この原稿搬送部に設けられ、一対の側壁を有し、原稿トレイに載置された原稿のサイズに応じて原稿の側部位置を規制するために、その一対の側壁をスライド溝に沿って原稿幅方向へ任意量だけ往復スライドさせることのできる原稿ガイドと、
この原稿ガイドの内側に装着／離脱可能に設けられ、一対の側壁および１つの底壁を有し、この底壁の下面に位置決め用突起が下方突出状に形成され、装着時に前記位置決め用突起が前記原稿ガイドのスライド溝に嵌まり込んで位置決めされる第２原稿ガイドと
を備えてなる、ことを特徴とする原稿搬送装置。
【請求項２】
前記原稿ガイドのスライド溝における原稿幅方向の中央寄り箇所に、前記第２原稿ガイドを原稿幅方向に位置決めするために前記位置決め用突起の一部を当接状に係合させる位置決め壁が設けられている、請求項1記載の原稿搬送装置。
【請求項３】
前記位置決め用突起は、原稿幅方向に所定間隔を置いて一対設けられている、請求項1記載の原稿搬送装置。
【請求項４】
前記位置決め用突起は、前記第２原稿ガイドの底壁の下面に装着／離脱可能に設けられている、請求項1記載の原稿搬送装置。
【請求項５】
前記第２原稿ガイドの装着／離脱を検出するための第２原稿ガイド着脱検出センサが設けられている、請求項1記載の原稿搬送装置。
【発明の詳細な説明】
【技術分野】
【０００１】
本発明は、原稿搬送装置に関するものであり、さらに詳しくは、原稿トレイに載置されたシート状原稿を原稿読取部の原稿読取領域へ搬送する原稿搬送部が備わった原稿搬送装置に関するものである。
【背景技術】
【０００２】
従来、この種の原稿搬送装置としては、一対の側壁を有し、原稿トレイに載置された原稿のサイズに応じて原稿の側部位置を規制するために、その一対の側壁を原稿幅方向へ任意量だけ往復スライドさせることのできる原稿ガイドを設けたものがよく知られている。
【発明の開示】
【発明が解決しようとする課題】
【０００３】
しかし、このような原稿ガイドを、使用されることがきわめて多いＡ系サイズやＢ系サイズなどの大サイズの原稿から、使用されることが比較的少ない名刺サイズなどの小サイズの原稿まで広く対応させるために、大幅な量のスライドが可能となるように設けるときには、原稿ガイドにおける一対の側壁のスライド幅をかなり大きく設計する必要がある。
【０００４】
また、原稿ガイドの前記側壁のそれぞれの下部には一般に、載置された原稿の側部を下から支える部分（下支え部）が内方突出状に設けられている。これらの下支え部は、原稿ガイドにおける一対の側壁どうしの間隔を狭めたときに互いに干渉しないように、スライド方向長さをできるだけ短く設計する必要がある。
【０００５】
ところが、下支え部のスライド方向長さを短くし過ぎると、使用されることが多い大サイズの原稿を載置するときには、原稿ガイドの側壁どうしの間隔を最初からその原稿サイズにほぼ合った状態まで狭めておかないと、原稿の下支え機能が不充分になるおそれがある。すなわち、かなり広く広げられた原稿ガイドの側壁どうしの間に原稿をまず大雑把に載置しておき、その後に原稿ガイドの側壁どうしの間隔を狭めて原稿の側部を揃えるということができにくくなり、操作性が悪化することになる。
【０００６】
従来、この種の別の原稿搬送装置としては、例えば特許文献１に記載されたものがある。
【０００７】
【特許文献１】実開平１−８５３３５号公報
【０００８】
特許文献１に記載された原稿搬送装置（原稿載置補助トレイ）は、小サイズの原稿を載置するために、大サイズ用の原稿載置トレイに加えて、着脱可能な原稿載置補助トレイを設けたものである。
【０００９】
しかし、この原稿搬送装置は、原稿載置補助トレイの装着位置の位置決めを原稿載置トレイの上で積み重ね状に行なうため、原稿載置補助トレイが大型化するおそれがあり、使いにくいという問題がある。
【００１０】
本発明の課題は、原稿ガイドおよびその関連部材の操作性に優れているとともに、原稿ガイドおよびその関連部材が大型化するおそれのない原稿搬送装置を提供することにある。
【課題を解決するための手段】
【００１１】
本発明によれば、原稿トレイに載置されたシート状原稿を原稿読取部の原稿読取領域へ搬送する原稿搬送部と、この原稿搬送部に設けられ、一対の側壁を有し、原稿トレイに載置された原稿のサイズに応じて原稿の側部位置を規制するために、その一対の側壁をスライド溝に沿って原稿幅方向へ任意量だけ往復スライドさせることのできる原稿ガイドと、この原稿ガイドの内側に装着／離脱可能に設けられ、一対の側壁および１つの底壁を有し、この底壁の下面に位置決め用突起が下方突出状に形成され、装着時に前記位置決め用突起が前記原稿ガイドのスライド溝に嵌まり込んで位置決めされる第２原稿ガイドとを備えてなる、ことを特徴とする原稿搬送装置が提供される。
【発明の効果】
【００１２】
本発明によれば、原稿ガイドの内側に第２原稿ガイドが装着／離脱可能に設けられ、その第２原稿ガイドが一対の側壁および１つの底壁を有し、この底壁の下面に位置決め用突起が下方突出状に形成され、その第２原稿ガイドの装着時に前記位置決め用突起が前記原稿ガイドのスライド溝に嵌まり込んで位置決めされる。従って、原稿ガイドおよびその関連部材である第２原稿ガイドの操作性に優れているとともに、原稿ガイドおよび第２原稿ガイドが大型化するおそれがない。
【発明を実施するための最良の形態】
【００１３】
以下、本発明におけるいくつかの実施の形態について、図面を参照しながら説明する。なお、これらの実施の形態によって本発明が限定されるものではない。
【００１４】
［実施の形態１］
本発明の実施の形態１に係る原稿搬送装置の構成が図１〜図７に示されている。すなわち、図１には、本発明の実施の形態１に係る原稿搬送装置Ｄを正面から見た構成説明図が示されている。図２には、この原稿搬送装置Ｄを上方から見た平面図が示されている。図３には、この原稿搬送装置Ｄにおける原稿ガイドのスライド機構が示されている。図４には、この原稿搬送装置Ｄを正面から見た構成説明図が示されている。図５には、この原稿搬送装置Ｄに第２原稿ガイドが装着された状態を正面から見た構成説明図が示されている。図６には、この原稿搬送装置Ｄにおける第２原稿ガイドを上方から見た平面図が示されている。図７には、この原稿搬送装置Ｄにおける第２原稿ガイドを側方から見た側面図が示されている。
【００１５】
図１には、原稿ガイド５１および第２原稿ガイド５２を備えてなる原稿搬送装置Ｄが示されている。第２原稿ガイド５２は、この実施の形態１では名刺サイズの原稿４２をガイドするためのものであって、原稿ガイド５１の内側に装着／離脱可能に設けられている。
【００１６】
すなわち、第２原稿ガイド５２は、一対の側壁５２ａ，５２ｂおよびこれらの側壁５２ａ，５２ｂの下部に連なる１つの底壁５２ｃを有している。また、底壁５２ｃの下面には、原稿幅方向に所定間隔を置いて設けられた一対の立方体状位置決め用突起５６ａ，５６ｂが下方突出状に一体形成されている。
【００１７】
第２原稿ガイド５２は、原稿搬送装置Ｄの上面に位置する原稿トレイ１の原稿ガイド５１における一対の側壁５１ａ，５１ｂを幅方向に広げるようにスライドさせた後、それらの側壁５１ａ，５１ｂどうしの間に装着される。このとき、一対の位置決め用突起５６ａ，５６ｂは、原稿ガイド５１のスライド溝５５ａ，５５ｂに嵌まり込んで第２原稿ガイド５２を位置決めする。
【００１８】
図２は原稿搬送装置Ｄを上方から見た平面図である。原稿ガイド５１の両側壁５１ａ，５１ｂは、これらの下部から内方へ突出したそれぞれの内方突出部が直線状のスライド溝５５ａ，５５ｂの中に嵌まり込んでいる。従って、両側壁５１ａ，５１ｂは、これらのスライド溝５５ａ，５５ｂに沿って幅方向へ往復スライドすることができる。
【００１９】
図３は原稿ガイド５１の移動機構を示す。原稿ガイド５１の側壁５１ａ，５１ｂの前記内方突出部と一体的に形成された一対の水平状ラックギア５３ａ，５３ｂが、１つのセンターギア（ピニオンギア）５４を挟み込むように、ラックギア５３ａ，５３ｂとセンターギア５４とがかみ合わされている。従って、原稿ガイド５１の２つの側壁５１ａ，５１ｂは、連動して、主走査方向中心位置から同じ量だけ往復スライドすることができる。
【００２０】
図４は原稿搬送装置Ｄの断面状構成説明図を示す。図４において、この原稿搬送装置Ｄの原稿トレイ１には、読み取るべき原稿４１が載置される。載置された原稿４１の有無は原稿有無検出センサ１６で検出され、載置された原稿４１のサイズは原稿サイズ検出センサ２０で検出される。
【００２１】
この原稿搬送装置Ｄには、サバキローラ２と同軸に設けられたピックアーム２３が備わっている。ピックアーム２３の一方端部にはピックローラ１５が設けられている。そして、ピックローラ１５は、図示しないソレノイドにより駆動されて、原稿トレイ１における原稿の最上面に接触／離間される。
【００２２】
ピックアーム２３の他方端部（ピックローラ１５が設けられていない方の端部）は、用紙搬送路に当接してピックローラ１５が上方向に移動したときのピックアーム２３の角度を規制する。原稿はピックアーム２３の他方端部と搬送路との間を通過するので、ピックアーム２３の他方端部には、原稿が円滑に進行するようにピックアームコロ２３ａが設けられている。
【００２３】
ピックローラ１５は原稿トレイ１における最上部の原稿を繰り出す。サバキローラ２は、分離パッド３と相まって、原稿トレイ１から繰り出された原稿を分離して第１搬送路４へ送り出す。搬送センサ５は原稿の端部を検出する。
【００２４】
一対の上搬送ローラ２２は原稿を一対のレジストローラ６へ搬送する。レジストローラ６は原稿の先端を突き合わせて整合する。読取ガイド８に沿って搬送された原稿には、光源ランプ９から出射された光が照射される。この光は、原稿で反射されて読取ガラス７を透過し、折り返しミラー１０，１０，１０を経由してレンズ１１で集光され、ＣＣＤ１２で画像データに変換される。原稿読取窓としての読取ガラス７を通過した原稿は一対の下搬送ローラ１３によって一対の反転ローラ１４へ搬送される。
【００２５】
切換ゲート１８は通常、先端が自重で反時計回り方向に回転して、図１における実線の位置にある。読み取りが終わった原稿は排紙トレイ１７へ排紙される。排紙される原稿の端部は排紙センサ１９で検出される。
【００２６】
原稿両面読み取りの場合には、反転ローラ１４が反転することで、原稿は、切換ゲート１８により、搬送路が反転搬送路としての第２搬送路２１へ切り換えられて、第２搬送路２１へ搬送される。そして、原稿は、再び第１搬送路４で読取ガラス７へ向けて搬送される。
【００２７】
原稿ストッパ２４は、図示しない連動機構によりピックアーム２３と連動して、ピックアーム２３が反時計回り方向に回転した時（原稿繰出し時）に下方向へ移動する。そして、原稿を装置内部に送り出せるようにする。この原稿ストッパ２４は、ピックアーム２３が時計回り方向に回転した時（停止時）に上方向へ移動する。そして、原稿の先端に当接して、原稿を装置内部に送り出せないようにする。
【００２８】
図４に示されたように、原稿有無検出センサ１６と原稿サイズ検出センサ２０との間には、第２原稿ガイド５２の装着／離脱を検出するための第２原稿ガイド着脱検出センサ(マイクロスイッチ)５７が設けられている。
【００２９】
図５は原稿搬送装置Ｄに名刺サイズの原稿４２をガイドする第２原稿ガイド５２が装着された状態を示す。第２原稿ガイド５２が装着されると、着脱検出センサ５７の検出片が押されて、第２原稿ガイド５２が装着されたことが検出される。すると、原稿搬送装置Ｄの制御部（図示略）は読み取り原稿サイズを名刺サイズに設定することができる。
【００３０】
図６は第２原稿ガイド５２を上方から見た平面図を示す。図７は第２原稿ガイド５２を側方から見た側面図を示す。図６の下半部に示されたように、原稿ガイド５１のスライド溝５５ａ，５５ｂにおける原稿幅方向の中央寄り箇所には、第２原稿ガイド５２を原稿幅方向に位置決めするために第２原稿ガイド５２の位置決め用突起５６ａ，５６ｂの一部（中央寄り側面）を当接状に係合させる位置決め壁５７ａ，５７ｂが設けられている。
【００３１】
従って、第２原稿ガイド５２を原稿ガイド５１に装着する時に第２原稿ガイド５２の位置決め用突起５６ａ，５６ｂが原稿ガイド５１のスライド溝５５ａ，５５ｂに嵌まり込む。そして、これらの位置決め壁５７ａ，５７ｂに第２原稿ガイド５２の位置決め用突起５６ａ，５６ｂがそれぞれ係合することによって、第２原稿ガイド５２が原稿ガイド５１に固定される。
【００３２】
その後、図７の下半部に示されたように、第２原稿ガイド５２に名刺サイズの原稿４２が載置される。
【００３３】
［実施の形態２］
本発明の実施の形態２に係る原稿搬送装置の要部構成が図８に示されている。この原稿搬送装置は原稿ガイド５１（図示略）および第２原稿ガイド６２を備えてなる。図８に示されたように、第２原稿ガイド６２は、一対の側壁６２ａ，６２ｂおよびこれらの側壁６２ａ，６２ｂの下部に連なる１つの底壁６２ｃを有している。
【００３４】
底壁６２ｃの下面には、原稿幅方向に所定間隔を置いて、平面形状が正方形である一対の嵌合孔６３ａ，６３ｂが設けられている。そして、これらの嵌合孔６３ａ，６３ｂに、装着／離脱可能な一対の立方体状位置決め用突起６６ａ，６６ｂ／６７ａ，６７ｂが下方突出状に嵌合されるようになっている。なお、位置決め用突起６７ａ，６７ｂは、位置決め用突起６６ａ，６６ｂに代えて、嵌合孔６３ａ，６３ｂに離脱可能に装着される交換可能なものである。
【００３５】
このように、位置決め用突起６７ａ，６７ｂを着脱交換可能とすることで、複数の原稿搬送装置に対応することが可能になる。
【００３６】
実施の形態２に係る原稿搬送装置の他の部分における構成は、実施の形態１に係る原稿搬送装置のそれらと実質的に同一である。
【００３７】
［実施の形態３］
本発明の実施の形態３に係る原稿搬送装置の要部構成が図９に示されている。この原稿搬送装置は原稿ガイド５１（図示略）および第２原稿ガイド７２を備えてなる。図９に示されたように、第２原稿ガイド７２は、一対の側壁７２ａ，７２ｂおよびこれらの側壁７２ａ，７２ｂの下部に連なる１つの底壁７２ｃを有している。
【００３８】
また、底壁７２ｃの下面には、原稿幅方向に所定間隔を置いて設けられた一対の立方体状位置決め用突起７６ａ，７６ｂが下方突出状に一体形成されている。これらの位置決め用突起７６ａ，７６ｂは、その一方が一方の側壁７２ａからより遠くに位置し、かつ、その他方が他方の側壁７２ｂからより近くに位置するように形成されている。
【００３９】
その理由は、原稿ガイド５１は前述のように、その側壁５１ａ，５１ｂが主走査方向中心位置から常に等距離となるようにラックギア５３ａ，５３ｂでスライドするよう構成されているが、第２原稿ガイドはそのような制約は受けないため、この実施の形態３のように位置決め用突起７６ａ，７６ｂの位置を変えることで原稿搬送位置を変更することができ、原稿搬送装置を設計する上の自由度が高まるからである。
【００４０】
実施の形態３に係る原稿搬送装置の他の部分における構成は、実施の形態１に係る原稿搬送装置のそれらと実質的に同一である。
【図面の簡単な説明】
【００４１】
【図１】図１は本発明の実施の形態１に係る原稿搬送装置Ｄを正面から見た構成説明図である。
【図２】図２はこの原稿搬送装置Ｄを上方から見た平面図である。
【図３】図３はこの原稿搬送装置Ｄにおける原稿ガイドのスライド機構を示す図である。
【図４】図４はこの原稿搬送装置Ｄを正面から見た構成説明図である。
【図５】図５はこの原稿搬送装置Ｄに第２原稿ガイドが装着された状態を正面から見た構成説明図である。
【図６】図６はこの原稿搬送装置Ｄにおける第２原稿ガイドを上方から見た平面図である。
【図７】図７はこの原稿搬送装置Ｄにおける第２原稿ガイドを側方から見た側面図である。
【図８】図８は本発明の実施の形態２に係る原稿搬送装置の要部構成を示す図である。
【図９】図９は本発明の実施の形態３に係る原稿搬送装置の要部構成を示す図である。
【符号の説明】
【００４２】
Ｄ……原稿搬送装置
１……原稿トレイ
７……読取ガラス（原稿読取領域）
４１……原稿
４２……名刺サイズの原稿
５１……原稿ガイド
５１ａ…側壁
５１ｂ…側壁
５２……第２原稿ガイド
５２ａ…側壁
５２ｂ…側壁
５２ｃ…底壁
５３ａ…ラックギア
５３ｂ…ラックギア
５４……センターギア
５５ａ…スライド溝
５５ｂ…スライド溝
５６ａ…位置決め用突起
５６ｂ…位置決め用突起
５７ａ…位置決め壁
５７ｂ…位置決め壁
６２……第２原稿ガイド
６２ａ…側壁
６２ｂ…側壁
６２ｃ…底壁
６６ａ…位置決め用突起
６６ｂ…位置決め用突起
６７ａ…位置決め用突起
６７ｂ…位置決め用突起
７２……第２原稿ガイド
７２ａ…側壁
７２ｂ…側壁
７２ｃ…底壁
７６ａ…位置決め用突起
７６ｂ…位置決め用突起
【図１】
2010052871.tif 000003
【図２】
2010052871.tif 000004
【図３】
2010052871.tif 000005
【図４】
2010052871.tif 000006
【図５】
2010052871.tif 000007
【図６】
2010052871.tif 000008
【図７】
2010052871.tif 000009
【図８】
2010052871.tif 000010
【図９】
2010052871.tif 000011